(57)【要約】【課題】タッチスクリーンを備えたコンテンツ表示携帯端末及びそのコンテンツ表示方法を提供する。【解決手段】本発明のタッチスクリーンを備えた携帯端末のコンテンツ表示方法は、タッチスクリーンに表示されたコンテンツにタッチ動作が感知されると、タッチ動作が移動するか否かを判断する過程と、タッチ動作が移動すると、タッチ動作の移動によるコンテンツを変更して表示するための表示変更物理量を算出する過程と、タッチ動作の移動が停止すると、算出された表示変更物理量によってコンテンツを連続的に変更して表示する過程とを有する。このような過程を通じて、ユーザは、１回のドラッグを通じて携帯端末に表示されたコンテンツのうちの所望のコンテンツを確認することができる。【選択図】図２
2012053876.tif 000002
【特許請求の範囲】
【請求項１】
タッチスクリーンを備えた携帯端末のコンテンツ表示方法であって、
前記タッチスクリーンに表示されたコンテンツにタッチ動作が感知されると、該タッチ動作が移動するか否かを判断する過程と、
前記タッチ動作が移動すると、該タッチ動作の移動による前記コンテンツを変更して表示するための表示変更物理量を算出する過程と、
前記タッチ動作の移動が停止すると、前記算出された表示変更物理量によって前記コンテンツを連続的に変更して表示する過程と、を有することを特徴とするコンテンツ表示方法。
【請求項２】
前記表示変更物理量を算出する過程は、
前記表示変更物理量が算出されている間、該算出された表示変更物理量によって前記コンテンツを変更して表示する過程を更に含むことを特徴とする請求項１に記載のコンテンツ表示方法。
【請求項３】
前記タッチ動作が解除されると、該タッチ動作が解除された時点に変更されたコンテンツを維持する過程を含むことを特徴とする請求項１に記載のコンテンツ表示方法。
【請求項４】
前記コンテンツを連続的に変更して表示する過程は、
前記コンテンツの位置を連続的に変更して表示する過程であることを特徴とする請求項１に記載のコンテンツ表示方法。
【請求項５】
前記コンテンツを連続的に変更して表示する過程は、
前記コンテンツの大きさを連続的に変更して表示する過程であることを特徴とする請求項１に記載のコンテンツ表示方法。
【請求項６】
前記表示変更物理量は、
前記タッチ動作の移動速度及び移動距離のうちの少なくとも１つであることを特徴とする請求項１に記載のコンテンツ表示方法。
【請求項７】
タッチイベントを通じてコンテンツを表示する携帯端末であって、
前記コンテンツを表示する表示部及び該表示部に表示されたコンテンツにタッチ動作を感知するタッチセンサーを含むタッチスクリーンと、
前記タッチセンサーを通じて前記タッチ動作の移動が感知されると、該タッチ動作の移動による前記コンテンツを変更して表示するための表示変更物理量を算出し、前記タッチ動作の移動の停止が感知されると、前記算出された表示変更物理量によって前記表示部を制御し、表示された前記コンテンツを連続的に変更して表示する制御部と、を備えることを特徴とするコンテンツ表示携帯端末。
【請求項８】
前記制御部は、
前記表示部を制御し、前記表示変更物理量が算出されている間、該算出された表示変更物理量によって前記コンテンツを変更して表示することを特徴とする請求項７に記載のコンテンツ表示携帯端末。
【請求項９】
前記制御部は、
前記タッチセンサーを通じて前記タッチ動作の解除を感知すると、前記表示部を制御し、前記タッチ動作が解除された時点に変更されたコンテンツを維持することを特徴とする請求項７に記載のコンテンツ表示携帯端末。
【請求項１０】
前記制御部は、
前記表示部を制御し、前記コンテンツの位置を連続的に変更して表示することを特徴とする請求項７に記載のコンテンツ表示携帯端末。
【請求項１１】
前記制御部は、
前記表示部を制御し、前記コンテンツの大きさを連続的に変更して表示することを特徴とする請求項７に記載のコンテンツ表示携帯端末。
【請求項１２】
前記表示変更物理量は、
前記タッチ動作の移動速度及び移動距離のうちの少なくとも１つであることを特徴とする請求項７に記載のコンテンツ表示携帯端末。
【発明の詳細な説明】
【技術分野】
【０００１】
本発明は、タッチスクリーンを備えたコンテンツ表示携帯端末及びそのコンテンツ表示方法に関し、より詳細には、タッチイベントを通じてコンテンツを表示する携帯端末及びそのコンテンツを表示する方法に関する。
【背景技術】
【０００２】
一般的に、携帯端末は、多様な機能が付加されて複合的な機能を実現することができる。しかし、携帯端末のサイズが限定されているのに対し、携帯端末に設けられる表示部と入力部が多くの部分を占めるという問題点がある。このような問題点を解決するために、現在の携帯端末は、表示部及び入力部が１つの装置として構成されるタッチスクリーンを備える傾向にある。
【０００３】
タッチスクリーンは、ユーザから入力される信号を感知する入力部と、携帯端末で実現される機能及びコンテンツを表示する表示部を１つの装置として構成した装置である。これにより、このようなタッチスクリーンを備えた携帯端末は、ユーザに直観的なユーザインターフェースを提供することができるという長所がある。
【発明の概要】
【発明が解決しようとする課題】
【０００４】
携帯端末で実現される機能が多様化されるに伴い、表示されるコンテンツの量も多くなっている。これにより、ユーザによって選択されるコンテンツが携帯端末に表示される時、１つの画面に全てを表示することができない場合が発生する。そこで、携帯端末は、画面をスクロール表示し、ユーザが残りのコンテンツを確認することができるようにしている。
【０００５】
ユーザがタッチスクリーンを備えた携帯端末でコンテンツを確認する場合、画面に表示されたスクロール領域をドラッグしなければならない。ところが、コンテンツの量が多くて、スクロール領域が長く、且つユーザが所望するコンテンツが下端に位置する場合、ユーザは、所望のコンテンツが出るまで続いてスクロール領域をドラッグしなければならないという問題点が発生する。
【０００６】
本発明は、上記従来の問題点に鑑みてなされたものであって、本発明の目的は、タッチスクリーンを備え、タッチスクリーンを通じて感知されるタッチイベントを通じてコンテンツを表示する携帯端末及びそのコンテンツ表示方法を提供することにある。
【課題を解決するための手段】
【０００７】
上記目的を達成するためになされた本発明のコンテンツ表示方法は、タッチスクリーンを備えた携帯端末のコンテンツ表示方法であって、前記タッチスクリーンに表示されたコンテンツにタッチ動作が感知されると、該タッチ動作が移動するか否かを判断する過程と、前記タッチ動作が移動すると、該タッチ動作の移動による前記コンテンツを変更して表示するための表示変更物理量を算出する過程と、前記タッチ動作移動が停止すると、前記算出された表示変更物理量によって前記コンテンツを連続的に変更して表示する過程と、を有することを特徴とする。
【０００８】
また、本発明のコンテンツ表示方法において、前記表示変更物理量を算出する過程は、前記表示変更物理量が算出されている間、該算出された表示変更物理量によって前記コンテンツを変更して表示する過程を更に含むことを特徴とする。
次に、本発明のコンテンツ表示方法は、前記タッチ動作が解除されると、該タッチ動作が解除された時点に変更されたコンテンツを維持する過程を含むことを特徴とする。
また、本発明のコンテンツ表示方法において、前記コンテンツを連続的に変更して表示する過程は、前記コンテンツの位置を連続的に変更して表示する過程であることを特徴とする。
また、本発明のコンテンツ表示方法において、前記コンテンツを連続的に変更して表示する過程は、前記コンテンツの大きさを連続的に変更して表示する過程であることを特徴とする。
また、本発明のコンテンツ表示方法において、前記表示変更物理量は、前記タッチ動作の移動速度及び移動距離のうちの少なくとも１つであることを特徴とする。
【０００９】
上記目的を達成するためになされた本発明のコンテンツ表示携帯端末は、タッチイベントを通じてコンテンツを表示する携帯端末であって、前記コンテンツを表示する表示部及び該表示部に表示されたコンテンツにタッチ動作を感知するタッチセンサーを含むタッチスクリーンと、前記タッチセンサーを通じて前記タッチ動作の移動が感知されると、該タッチ動作の移動による前記コンテンツを変更して表示するための表示変更物理量を算出し、前記タッチ動作の移動の停止が感知されると、前記算出された表示変更物理量によって前記表示部を制御し、表示された前記コンテンツを連続的に変更して表示する制御部と、を備えることを特徴とする。
【００１０】
また、本発明のコンテンツ表示携帯端末において、前記制御部は、前記表示部を制御し、前記表示変更物理量が算出されている間、該算出された表示変更物理量によって前記コンテンツを変更して表示することを特徴とする。
また、本発明のコンテンツ表示携帯端末において、前記制御部は、前記タッチセンサーを通じて前記タッチ動作の解除を感知すると、前記表示部を制御し、前記タッチ動作が解除された時点に変更されたコンテンツを維持することを特徴とする。
また、本発明のコンテンツ表示携帯端末において、前記制御部は、前記表示部を制御し、前記コンテンツの位置を連続的に変更して表示することを特徴とする。
次に、本発明のコンテンツ表示携帯端末において、前記制御部は、前記表示部を制御し、前記コンテンツの大きさを連続的に変更して表示することを特徴とする。
また、本発明のコンテンツ携帯端末において、前記表示変更物理量は、前記タッチ動作の移動速度及び移動距離のうちの少なくとも１つであることを特徴とする
【発明の効果】
【００１１】
本発明によれば、タッチスクリーンを備えた携帯端末に表示されるコンテンツの量が多くても、ユーザは、簡単な操作により所望のコンテンツを選択することができる。
【図面の簡単な説明】
【００１２】
【図１】本発明の一実施形態による携帯端末の構成を示す図である。
【図２】本発明の一実施形態によるコンテンツの位置が変更される画面を示す図である。
【図３】本発明の一実施形態によるコンテンツの大きさが変更される画面を示す図である。
【図４】本発明の一実施形態によるコンテンツ表示方法を示すフロー図である。
【発明を実施するための形態】
【００１３】
「コンテンツ」は、携帯端末に表示される全てのデータを意味する。例えば、コンテンツは、携帯端末においてメニュー選択モードで表示されるメニューアイコン、メッセージ表示モードで表示されるメッセージ、写真などのようなイメージ表示モードで表示されるイメージなどのように、携帯端末において表示することができる全てのデータを含むことができる。
【００１４】
「タッチ動作（Ｔｏｕｃｈ  Ａｃｔｉｏｎ）」は、ユーザがタッチスクリーンの表面に接触した状態を意味する。
【００１５】
以下、本発明のタッチスクリーンを備えたコンテンツ表示携帯端末及びそのコンテンツ表示方法を実施するための形態の具体例を、図面を参照しながら詳細に説明する。この際、図面において、同一の構成要素は、できるだけ同一の符号で示していることに留意しなければならない。また、本発明の要旨を不明瞭にする可能性がある公知機能及び構成に対する詳細な説明は省略する。
【００１６】
図１は、本発明の一実施形態による携帯端末の構成を示す図である。
【００１７】
図１を参照すると、携帯端末１００は、タッチスクリーン１１０、制御部１２０、保存部１３０を含む。
【００１８】
タッチスクリーン１１０は、表示部１１３とタッチセンサー１１５を含む。ここで、表示部１１３は、携帯端末１００の状態及び動作と関連した各種コンテンツを表示することができる。特に表示部１１３は、制御部１２０の制御の下でタッチセンサー１１５を通じて感知される入力イベントによってコンテンツの位置を変更するか、又は大きさなどを変更して表示することができる。
【００１９】
タッチセンサー１１５は、表示部１１３に装着され、表示部１１３で発生するユーザの指又はツールの接触及び解除による入力イベントを感知する。ここで、タッチセンサー１１５は、入力イベントが感知されると、入力イベントが感知された領域に該当する座標を制御部１２０に伝達する。ここで、入力イベントは、タッチ動作、タッチ動作移動、タッチ動作停止、タッチ動作解除を含む。
【００２０】
タッチセンサー１１５は、表示部１１３にタッチが感知された領域の座標を制御部１２０に伝達する。また、タッチセンサー１１５は、移動が感知されると、移動によって変更された座標を継続して認識し、制御部１２０に伝達する。
【００２１】
制御部１２０は、携帯端末１００の全般的な構成の動作及び状態を制御する。ここで、制御部１２０は、タッチセンサー１１５を通じて感知された入力イベントによって、表示部１１３に表示されたコンテンツの状態を変更して表示することができる。更に詳しく説明すると、制御部１２０は、ユーザの選択によってコンテンツを表示部１１３に表示する。また、制御部１２０は、タッチセンサー１１５を通じて感知された入力イベントによって、表示部１１３に表示されたコンテンツの位置を変更して表示するか、又はコンテンツの大きさを変更して表示することができる。このために、制御部１２０は、スクロール処理部１２３を更に備える。
【００２２】
スクロール処理部１２３は、タッチセンサー１１５を通じて感知された入力イベントを確認し、確認された入力イベントによって表示部１１３を制御し、コンテンツの位置を変更して表示することができる。或いは、スクロール処理部１２３は、タッチセンサー１１５を通じて感知された入力イベントを確認し、確認された入力イベントによって表示部１１３を制御し、コンテンツの大きさを変更して表示することができる。ここで、入力イベントは、タッチ動作、タッチ動作移動、タッチ動作停止、タッチ動作解除を含む。例えば、スクロール処理部１２３は、タッチセンサー１１５を通じて座標が最初に伝達されると、これをタッチ動作として感知する。また、スクロール処理部１２３は、タッチセンサー１１５を通じて伝達された座標が連続的に変更されると、これをタッチ動作移動であると感知する。次に、スクロール処理部１２３は、タッチセンサー１１５を通じて同一の座標が一定時間の間伝達されると、これをタッチ動作停止と感知する。また、スクロール処理部１２３は、タッチセンサー１１５を通じて伝達される座標がなければ、これをタッチ動作解除と感知する。
【００２３】
スクロール処理部１２３は、タッチセンサー１１５を通じてタッチ動作、タッチ動作移動によって感知された座標を利用して表示変更物理量を算出する。また、スクロール処理部１２３は、算出された表示変更物理量によってコンテンツの位置又は大きさなどを変更して表示部１１３に表示する。また、タッチスクリーン１１０を通じてタッチ動作停止が感知されると、スクロール処理部１２３は、算出された表示変更物理量を利用してコンテンツの位置又は大きさなどを連続的に変更して表示するように表示部１１３を制御する。次に、スクロール処理部１２３は、タッチ動作解除が感知されるか否かを判断し、タッチ動作解除が感知された時点に変更されたコンテンツが維持されるように表示部１１３を制御する。ここで、表示変更物理量は、タッチ動作の移動速度及び移動距離のうちの少なくとも１つとすることができる。この際、タッチ動作が最初に感知された座標と最後に感知された座標を利用してタッチ動作の移動距離を算出することができる。また、タッチ動作の移動距離とタッチ動作が最初に感知された時点と最後に感知された時点の時間差を利用してタッチ動作の移動速度を算出することができる。
【００２４】
例えば、表示部１１３に少なくとも１つのコンテンツが表示されたと仮定する。タッチセンサー１１５は、タッチ動作が感知されると、タッチ動作が感知された領域の座標をスクロール処理部１２３に伝達する。すると、スクロール処理部１２３は、タッチセンサー１１５から伝達された座標を用いて判断された入力イベントによって、位置又は大きさを変更すべきコンテンツを確認する。
【００２５】
次に、タッチセンサー１１５は、タッチ動作の移動によって変更された座標をスクロール処理部１２３に伝達する。スクロール処理部１２３は、以前の座標と変更された座標を用いて表示変更物理量を算出する。タッチ動作の移動によって表示変更物理量が算出されている間も、スクロール処理部１２３は、算出された表示変更物理量によって確認されたコンテンツの大きさを拡大又は縮小するか、位置を変更して表示部１１３に表示する。
【００２６】
タッチ動作が一定距離だけ移動した後に停止された時、タッチセンサー１１５は、これを感知してスクロール処理部１２３に伝達する。この際、タッチ動作の移動が停止された時、タッチセンサー１１５を通じて伝達された座標は同一の座標なので、スクロール処理部１２３は、タッチ動作が移動せずに停止したことを判断する。すると、スクロール処理部１２３は、タッチ動作の移動が停止される直前に算出された表示変更物理量によって、表示部１１３に表示されたコンテンツの大きさを連続的に拡大又は縮小するか、又は位置を変更する。また、タッチセンサー１１５を通じてタッチ動作の解除が感知されると、スクロール処理部１２３は、表示部１１３を制御してタッチ動作が解除された時点に変更されたコンテンツの大きさ又は位置をそのまま維持する。
【００２７】
保存部１３０は、携帯端末１００で行われる機能のためのアプリケーションと機能実行中に発生する各種コンテンツを保存する。
【００２８】
このような構成を備えた携帯端末１００は、タッチスクリーン１１０のタッチセンサー１１５を通じて感知される入力イベントによって、表示部１１３に表示されたコンテンツの位置又は大きさなどを変更して表示することができる。更に詳しくは、タッチスクリーン１１０を通じてタッチ動作が感知されると、携帯端末１００は、タッチ動作が感知された領域に表示されたコンテンツを確認する。また、タッチ動作の移動が感知されると、携帯端末１００は、タッチ動作の移動による表示変更物理量を確認する。また、表示変更物理量によってコンテンツを変更して表示部１１３に表示しつつ、タッチ動作の移動が停止すると、携帯端末１００は、タッチ動作の解除が感知されるまで、算出された表示変更物理量によってコンテンツを連続的に変更して表示する。
【００２９】
図２は、本発明の一実施形態によるコンテンツの位置が変更される画面を示す図である。
【００３０】
図２を参照すると、ユーザがメッセージ表示モードを選択すると、携帯端末１００は、図２に示したように、保存されたメッセージをリストで表示する。次に、携帯端末１００は、タッチスクリーン１１０を通じてタッチ動作２１０が感知されると、タッチ動作が感知された領域に表示されたコンテンツを確認する。また、タッチスクリーン１１０を通じてタッチ動作の移動２１３が感知されると、携帯端末１００は、タッチ動作の移動による表示変更物理量を確認する。この際、確認された表示変更物理量によってコンテンツの位置が変更されて表示される。
【００３１】
携帯端末１００は、タッチスクリーン１１０を通じてタッチ動作の停止２１５が感知されると、タッチ動作の解除が感知されるか否かを判断する。この際、携帯端末１００は、タッチ動作の解除が感知されるまでコンテンツの位置を表示変更物理量によって連続的に変更して表示する。例えば、図２に示したように、ユーザがメッセージを確認するためにタッチ動作をし、画面の下端方向から上端方向にタッチ動作を移動する。すると、携帯端末１００は、タッチ動作が感知された領域に表示されたメッセージ及びタッチ動作の移動による表示変更物理量を確認する。
【００３２】
携帯端末１００は、確認された表示変更物理量によって、確認されたメッセージの位置を変更する。この際、携帯端末１００は、タッチ動作の解除が感知されるまで確認されたメッセージの位置を継続して表示変更物理量だけ画面の上端方向に移動させながら表示する。ここで、移動の方向が画面の上端方向に向かった場合を例示して説明しているが、これに限定されない。即ちタッチ動作の移動方向は、画面の左右方向にすることもでき、対角線方向にすることもできる。また、各タッチ動作の移動方向に対応するようにコンテンツの位置も変更することができる。
【００３３】
図３は、本発明の一実施形態によるコンテンツの大きさが変更される画面を示す図である。
【００３４】
図３を参照すると、ユーザがイメージ表示モードを選択すると、携帯端末１００は、ユーザによって選択されたイメージであるコンテンツを表示部１１３に表示する。また、携帯端末１００は、タッチスクリーン１１０を通じてタッチ動作３１０が感知されると、タッチ動作が感知された領域に表示されたコンテンツを確認する。また、タッチスクリーン１１０を通じてタッチ動作の移動３１３が感知されると、携帯端末１００は、タッチ動作の移動による表示変更物理量を確認する。この際、確認された表示変更物理量によってコンテンツの大きさが変更されて表示される。
【００３５】
携帯端末１００は、タッチスクリーン１１０を通じてタッチ動作の停止３１５が感知されると、タッチ動作の解除が感知されるか否かを判断する。この際、携帯端末１００は、タッチ動作の解除が感知されるまでコンテンツの大きさを表示変更物理量によって連続的に変更して表示する。例えば、図３に示したように、ユーザがイメージを拡大するためにタッチ動作をし、画面の上端方向から下端方向にタッチ動作を移動する。すると、携帯端末１００は、タッチスクリーン１１０を通じてタッチ動作が感知された領域に表示されたイメージ、及びタッチ動作の移動による表示変更物理量を確認する。また、タッチ動作の移動が停止されると、携帯端末１００は、確認された表示変更物理量によって、確認されたイメージの大きさを拡大する。この際、携帯端末１００は、タッチ動作の解除が感知されるまで、確認されたイメージの大きさを継続して表示変更物理量だけ拡大するか又は減少して表示する。
【００３６】
ここで、タッチ動作の移動方向が画面の上端方向から下端方向に向かった場合を例示して説明しているが、これに限定されない。即ちタッチ動作の移動方向は、画面の左右方向にすることもでき、対角線方向にすることもできる。また、各タッチ動作の移動方向に対応するようにコンテンツの大きさも拡大又は縮小することができる。
【００３７】
図４は、本発明の一実施形態によるコンテンツ表示方法を示すフロー図である。
【００３８】
図４を参照すると、制御部１２０は、４１０段階で、ユーザの選択によってコンテンツを表示部１１３に表示する。ここで、表示されるコンテンツは、携帯端末１００に表示される多様な形態（ｆｏｒｍｓ）及びタイプのデータを意味する。例えば、コンテンツは、メニュー表示モードで表示されるメニュー、イメージ表示モードで表示されるイメージ、メッセージ表示モードで表示されるメッセージ、文書プレビューモードで表示される少なくとも１つの文書などを含むことができる。
【００３９】
次に、制御部１２０は、４１５段階で、タッチスクリーン１１０を通じてタッチ動作が感知されるか否かを判断する。もしタッチ動作が感知されると、制御部１２０は、４２０段階で、タッチスクリーン１１０を通じてタッチ動作の移動が感知されるか否かを判断する。ここで、制御部１２０は、タッチスクリーン１１０を通じてタッチ動作が感知されると、タッチ動作が感知された領域に表示されたコンテンツを確認する。
【００４０】
もしタッチ動作の移動が感知されなければ、制御部１２０は、４２３段階で、タッチスクリーン１１０を通じてタッチ動作が解除されるか否かを判断する。タッチ動作が解除されると、制御部１２０は、４２５段階で、確認されたコンテンツを利用してタッチ動作の解除による機能を行う。ここで行うことができる機能としては、コンテンツがメニューの場合、確認されたメニューの下位メニューなどを表示することができる。或いは確認されたコンテンツがメッセージの場合、当該メッセージを表示することができる。
【００４１】
更に４２０段階に戻って、タッチ動作の移動が感知されると、制御部１２０は、４３０段階で、タッチ動作の移動による表示変更物理量を算出する。図示していないが、タッチ動作の移動によって表示変更物理量を算出している間にも、制御部１２０は、算出された表示変更物理量によって、表示されたコンテンツの位置又は大きさなどを変更して表示部１１３に表示する。ここで、表示変更物理量は、表示部１１３に表示されたコンテンツの位置又は大きさなどを変更して表示するための物理量であって、タッチ動作の移動速度、移動距離などを含むことができる。
【００４２】
次に、制御部１２０は、４３５段階で、タッチスクリーン１１０を通じてタッチ動作が停止されるか否かを判断する。もしタッチ動作が停止されると、制御部１２０は、４４０段階で、タッチスクリーン１１０を通じてタッチ動作の解除が感知されるか否かを判断する。タッチ動作の解除が感知されなければ、制御部１２０は、４４５段階で、タッチ動作が停止された直前に算出された表示変更物理量によって、コンテンツを連続的に変更して表示する。このような過程により、制御部１２０は、コンテンツの位置を、算出された表示変更物理量によって継続して変更して表示することができる。或いは、制御部１２０は、コンテンツの大きさを、算出された表示変更物理量によって継続して拡大するか、又は縮小して表示することができる。
【００４３】
次に、制御部１２０は、４５０段階で、タッチスクリーン１１０を通じてタッチ動作が解除されるか否かを判断する。もしタッチスクリーン１１０を通じてタッチ動作の解除が感知されなければ、制御部１２０は、４４５段階を再び遂行する。一方、タッチスクリーン１１０を通じてタッチ動作の解除が感知されると、制御部１２０は、４５５段階で、タッチ動作が解除された時点に変更されたコンテンツの大きさ又は位置を維持して表示部１１３に表示する。
【００４４】
更に４４０段階に戻って、タッチ動作の解除が感知されると、制御部１２０は、４６０段階で、算出された表示変更物理量によってコンテンツの位置を変更するか、又は大きさを変更して表示する。
【００４５】
このような過程により、携帯端末１００は、表示されたコンテンツの位置又は大きさなどを、感知されたタッチ動作、タッチ動作移動、及びタッチ動作停止によって変更して表示することができる。従って、ユーザは、表示部１１３に表示されていないコンテンツを確認するために、続いてタッチ移動をしなくても所望のコンテンツを確認することができる。
【００４６】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【００４７】
１００    携帯端末
１１０    タッチスクリーン
１１３    表示部
１１５    タッチセンサー
１２０    制御部
１２３    スクロール処理部
１３０    保存部
２１０、３１０    タッチ動作
２１３、３１３    タッチ動作の移動
２１５、３１５    タッチ動作の停止
【図１】
2012053876.tif 000003
【図２】
2012053876.tif 000004
【図３】
2012053876.tif 000005
【図４】
2012053876.tif 000006